(57)【要約】      （修正有）【課題】上りエスカレータと建屋天井や梁部とが交差する部分、あるいは上りエスカレータと下りエスカレータとが交差する部分である三角部に配置される安全装置において、乗客が手すりの外に大きく身を乗り出しても、強制的に手すりの内側に体を戻し重大事故を回避できるようなエスカレータの安全装置を提供する。【解決手段】移動手すり３の上面に対して、下から上に徐々に案内する形状のガイド板６と前記移動手すり３の外側で、下りエスカレータ下面の鉛直壁７の外側から当該鉛直壁７面まで徐々に案内する形状のガイド板８から構成される安全装置５を取り付けることで、エスカレータの移動手すり３の外側に大きく身を乗り出していても、ガイド板６，７によって強制的に危険な三角部から体を退避させることができる。【選択図】図２
2010064834.tif 000002
【特許請求の範囲】
【請求項１】
上りエスカレータと建屋天井や梁部とが交差する部分、あるいは上りエスカレータと下りエスカレータとが交差する部分である三角部に配置される安全装置において、上りエスカレータの手すりの外側で、手すり面下部から手すり面上部まで徐々に案内する形状のガイド板と、前記建屋天井や梁部または下りエスカレータ下面の鉛直壁外側から当該鉛直壁面まで徐々に案内する形状のガイド板を具備することを特徴とする安全装置。
【発明の詳細な説明】
【技術分野】
【０００１】
本発明は、上りエスカレータと建屋天井や梁部とが交差する部分、あるいは上りエスカレータと下りエスカレータとが交差する部分である三角部に配置される安全装置に関する。
【背景技術】
【０００２】
建屋の上下階を連結するエスカレータでは、利用者の挟まれ事故を防止するため、上りエスカレータと建屋天井や梁部とが交差する部分、あるいは上りエスカレータと下りエスカレータとが交差する部分である三角部に三角ガード板と呼ばれる保護板を設置することが昭和５２年建設省住指発第２５号で義務付けられている。
【０００３】
従来の保護板はアクリル製樹脂で作られており略三角形の形状をしており、上りエスカレータの手すりから乗客の体や頭部がはみだしていても、挟まれ事故が起きないように設置されている。
【０００４】
しかしながら、従来の保護板では完全に事故を防止することができないため、種々の提案がなされている。
保護板もしくは、手すりの外側にセンサーを配置し、手すりから乗客の体または頭部がはみ出していることをセンサーが検知した場合、エスカレータを停止させる、あるいは乗客に注意を喚起するなどの提案がなされている。
【０００５】
あるいは、保護板の材質をポリカーボネイト製にして強度を上げたり、保護板の構造を変更して強度を上げるなどの提案がある。
【特許文献１】特開平１０−２９７８６５
【特許文献２】特開２００６−０４４９４２
【特許文献３】特開２００２−１１４４７４
【特許文献４】特開２００８−１３３０６４
【発明の開示】
【発明が解決しようとする課題】
【０００６】
まず、センサーにより危険を察知してエスカレータの運転を停止する場合、急停止により他の乗客が転倒したりするなどの弊害が生じる。また、センサーが頻繁に作動し、スムーズな運転が妨げられる危険性が生じる。さらに、センサーで検知したあとに注意喚起しか行わないのであれば、事故を防ぐには不十分な対策である。
次に、保護板の強度を上げて挟まれ事故を防止する提案であるが、現状の保護板の形状であるならば、乗客が手すりより大きく身を乗り出した場合、保護板に跳ね返されてエスカレータの手すりから外に落下したり、保護板と手すりの間に体や頭部が挟まれ重大な事故につながる。
【０００７】
特に先日発生した小学生の事故は、お金を手すりの外に落としてしまい、それを拾おうと大きく身を乗り出していたため、三角部に挟まれてしまったという痛ましい事故であった。このような子供の事故は各所で発生していると思われるが、センサー検知による注意喚起や保護板の強度向上では防げない事故である。
【０００８】
そこで本発明は上記課題を解決するためになされたもので、乗客が手すりの外に大きく身を乗り出しても、強制的に手すりの内側に体を戻し重大事故を回避できるようなエスカレータの安全装置を提供することを目的としている。
【課題を解決するための手段】
【０００９】
本発明にかかる安全装置は、上りエスカレータと建屋天井や梁部とが交差する部分、あるいは上りエスカレータと下りエスカレータとが交差する部分である三角部に配置されるものであり、上りエスカレータの手すりの外側で、手すり面下部から手すり面上部まで順次案内する形状のガイド板と、前記建屋天井や梁部または下りエスカレータ下面の鉛直壁外側から当該鉛直壁面まで順次案内する形状のガイド板を具備することを特徴とする。
【発明の効果】
【００１０】
本発明にかかる安全装置によれば、上りエスカレータの手すりの外側へ体や頭部がはみ出ていても、ガイド板によって強制的に危険な三角部から退避させることができるため、重大な事故を防止することができる。
【発明を実施するための最良の形態】
【００１１】
以下、本発明の実施例を図１〜図３を参照して詳細に説明する。
【実施例】
【００１２】
本発明を適用した安全装置が設置されるエスカレータについて説明する。上りエスカレータ１は図１に示すように、上下階を有する建屋で上下階に傾斜して設置され、乗客運搬用の移動踏段２と移動手すり３を備える。
この上りエスカレータ１と下りエスカレータ４とが交差する箇所が、危険な三角部と呼ばれ、この部分に本発明である安全装置５が設置されている。
この三角部は、上りエスカレータ１と下りエスカレータ４との間だけでなく、上りエスカレータと建屋天井や梁部との間でも同じように生じる。
【００１３】
本発明を適用した安全装置５の具体的な一例を図２に示す。この図２に示す安全装置５は、前記移動手すり３の上面に対して、下から上に徐々に案内する形状のガイド板６と前記移動手すり３の外側で、下りエスカレータ下面の鉛直壁７の外側から当該鉛直壁７面まで徐々に案内する形状のガイド板８から構成されている。
この安全装置５は、例えばアクリル樹脂やポリカーボネイトなどの透明な樹脂材料で作られていても良いし、着色された樹脂で作られても良い。また、金属光沢のある金属板でもよいし、耐久性と低摩擦係数を備えた表面フッ素塗装の金属板でもよい。木製でも良く、強度があればどんな材質でも構わない。
【００１４】
また、図３のようにガイド板６，８は曲面ではなく、折り曲げ形状でもよい。
【００１５】
以上のような形状の安全装置５を設置することで、エスカレータの移動手すり３の外側に大きく身を乗り出していても、ガイド板６，８によって強制的に危険な三角部から体を退避させることができるため、重大な事故を防止することができる。
ガイド板６と８は、同じ材質でも良いし異なる材質でも良いが、滑らかに結合され一体化されていることが望ましい。
【図面の簡単な説明】
【００１６】
【図１】エスカレータの全体構成を示す模式図
【図２】本発明を適用した安全装置の一例を示す要部拡大斜視図
【図３】本発明の安全装置の他の実施例の拡大斜視図
【符号の説明】
【００１７】
１  上りエスカレータ
２  移動踏段
３  移動手すり
４  下りエスカレータ
５  安全装置
６  ガイド板
７  下りエスカレータ下面鉛直壁
８  ガイド板
【図１】
2010064834.tif 000003
【図２】
2010064834.tif 000004
【図３】
2010064834.tif 000005